(57)【特許請求の範囲】
【請求項１】
一端に洗浄水供給口を、他端にピストン突出口を設けたシリンダと、該シリンダ内を進退自在に構成された位置調整用ピストンと、該位置調整用ピストン内を進退自在に構成された水圧式ノズルとからなり、前記位置調整用ピストンには、一側内部に位置調整用シリンダ部を設け、該位置調整用シリンダ部へ水圧を導入する導入口と、該位置調整用シリンダ部を介さずに前記水圧式ノズルへ水を供給するための給水口とを有し、前記水圧式ノズルの後端に第１の流入口を、前記水圧式ノズルが進出していないとき前記給水口と整合する位置に設けられる第２の流入口を設け、先端には噴出口を設けたことを特徴とする局部洗浄装置。
【発明の詳細な説明】
【０００１】
【発明の属する技術分野】
本発明は、用便後の人体局部を洗浄する局部洗浄装置に関し、特に、１本のノズルによりお尻洗浄及びビデ洗浄を行う局部洗浄装置に関する。
【０００２】
【従来の技術】
洋式の便器に設置されるこの種の局部洗浄装置は、スイッチ操作によって洗浄ノズルを伸長させ、その噴出口から洗浄水を上方に向けて噴出させることにより、お尻洗浄若しくはビデ洗浄を行うよう構成されている。局部洗浄に用いられる洗浄水には、給水配管からの水を装置内に設けられた温水タンクで所定温度に加熱された適温湯、或は給水配管からの水と給湯配管からの湯とをミキシングバルブによって混合することにより温度調整された適温湯が用いられる。洗浄ノズルは、ノズルの駆動方式によって大別すると、モータ等の駆動源によって進退されるもの（いわゆる電動式ノズル）と、駆動源を備えず洗浄水の水圧のみによって進退されるもの（いわゆる水圧式ノズル）との２種類がある。電動式ノズルは、一般家庭等に広く普及しており、現状では洗浄ノズルの主流をなしている。またこの電動式ノズルはモータ等を制御することで位置制御を行うことができるため、１本のノズルでお尻洗浄用ノズル及びビデ洗浄用ノズルを兼用することができる。一方、水圧ノズルはモータ等の駆動源を必要としないため、電動式ノズルに比べて構造が簡単で安価に制作できるという利点を有している。しかし、水圧による位置制御を伴う場合には構造が複雑となるため、通常お尻洗浄用ノズルとビデ洗浄用ノズルとは別々に設けられている。なお、水圧式ノズルにおいて、お尻洗浄用ノズルとビデ洗浄用ノズルとを兼用するものも特開平１０−２２８３２１号等で提案されている。このものは、ノズルシリンダ内に洗浄用ノズルをその軸方向に摺動自在に有し、位置調節用シリンダ内に、前記ノズルシリンダをその軸方向に摺動自在に有するものである。この構成により、お尻洗浄時はノズルシリンダ内にのみ洗浄水を供給してお尻洗浄を行い、ビデ洗浄時は、位置調整用シリンダ内にも洗浄水を供給することでノズルシリンダを前方に進出して、ビデ洗浄を行うものである。
【０００３】
【発明が解決しようとする課題】
しかし、上記した従来技術では、位置調整用シリンダをノズルシリンダの外周に形成しなければならないため、径が大きくなってしまい、局部洗浄装置内への収納が困難であった。また噴出口自体もお尻とビデで兼用としているため、お尻と同様の刺激感をビデでも受けるため、刺激を強く感じることがあった。本発明は上記した従来技術の問題点を解決するためになされたもので、その目的とするところは、１本の洗浄ノズルでお尻及びビデの洗浄を行うことができると共に使用部位毎に適正な使用感を与えることができる局部洗浄装置を提供することである。更に、設置スペースを多く必要としないコンパクトな水圧式ノズルを有する局部洗浄装置を提供することも目的とする。
【０００４】
【課題を解決するための手段及び作用及び効果】
【０００５】
【０００６】
請求項１の発明では、一端に洗浄水供給口を、他端にピストン突出口を設けたシリンダと、該シリンダ内を進退自在に構成された位置調整用ピストンと、該位置調整用ピストン内を進退自在に構成された水圧式ノズルとからなり、前記位置調整用ピストンには、一側内部に位置調整用シリンダ部を設け、該位置調整用シリンダ部へ水圧を導入する導入口と、該位置調整用シリンダ部を介さずに前記水圧式ノズルへ水を供給するための給水口とを有し、前記水圧式ノズルの後端に第１の流入口を、前記水圧式ノズルが進出していないとき前記給水口と整合する位置に設けられる第２の流入口を設け、先端には噴出口を設けたので、位置調整用ピストンにより、お尻／ビデでのノズル進出長を変更することで、噴出口自体を選択することができる。従って、お尻／ビデに最適な洗浄形態（流速、噴出範囲、噴出角度）で洗浄することができる。
【０００７】
【０００８】
【０００９】
【００１０】
【００１１】
【発明の実施の形態】
以下、本発明を図面を用いて詳細に説明する。図１は本発明の第１実施例の水路構成を示すブロック図、図２は本発明のノズル装置２０の外観斜視図、図３は操作用シリンダ２１の分解斜視図、図４は洗浄ノズル２３の分解斜視図、図５は洗浄ノズルの収納時断面図である。これらの図において、局部洗浄装置は、図に示すように、装置本体１と、この装置本体１の内部に配設された水圧式のノズル装置２０、ミキシングバルブ２、電磁弁３、４、切換弁兼用流量調節弁３０、図示しない温度サーミスタ、減圧弁、逆止弁等を備え、洗浄時に洗浄ノズル２３を洗浄水Ｗの水圧によって伸張し便器内に突出させることにより、お尻洗浄、ビデ洗浄を行うように構成されている。
【００１２】
前記装置本体１の内部中央には前記ノズル装置２０が配設され、このノズル装置２０より装置本体１に設けられる袖部側（右側）に前記ミキシングバルブ２、電磁弁３、４等が配設され、さらにその右側には給水配管５及び給湯配管６が配管されている。給水配管５によって供給される水と給湯配管６によって供給される温水（７０℃前後）は、ミキシングバルブ２によって混合され、局部洗浄用供給管路７またはノズル洗浄用供給流路８によって前記ノズル装置２０に洗浄水（４０℃程度の温水）として導かれる。ノズル供給用供給流路８終端はノズル装置２０のノズル洗浄室（後述）に接続されている。前記電磁弁３、４は、局部洗浄用供給流路７とノズル洗浄用供給流路８に夫々設けられている。また、切換弁兼流量調整弁３０を機械的に駆動すると共に電気的に電磁弁３、４を駆動する操作部４０、操作部４０からの操作信号を受け電磁弁３、４へ駆動信号を出力する制御装置５０、制御装置５０へ電力を供給する乾電池６０を内部に備える。
【００１３】
前記ノズル装置２０は、操作用シリンダ２１と、この操作用シリンダ２１内に進退自在に嵌挿され、洗浄水の水圧によって作動されるピストン２２と、お尻洗浄時にお尻位置に移動し、ビデ洗浄時にはビデ洗浄位置に移動する洗浄ノズル２３、洗浄ノズル２３を元の位置に復帰するための復帰ばね２４を備え、前記局部洗浄用供給流路７、ノズル洗浄用供給流路８及び切換弁兼流量調整弁３０に接続されている。
【００１４】
前記操作用シリンダ２１は、前後端が開口した内径が異なる樹脂製の異径管からなり、前半部が小径の前方シリンダ２１Ａを構成し、後半部が大径部の後方シリンダ２１Ｂを構成している。このため、操作シリンダ２１の内周面前方シリンダ２１Ａと後方シリンダ２１Ｂの接続部には、前記ピストン２２の前進動を規制する段部２１ｃが設けられている。また、前方シリンダ２１Ａの中間部には更に小径部２１ｄが形成されており、この小径部２１ｄの後端面が前記洗浄ノズル２３の前進動を制限する係止部として機能し、前端側にばね受部２１ｅが一体に設けられている。このばね受部２１ｅは、前記復帰用ばね２４の前端を受け止めると共に、前記洗浄ノズル２３を摺動自在に支持し案内するもので、内径が前記小径部２１ｄより小さく、前記洗浄ノズル２３の外径より大きいリング状に形成されている。
【００１５】
前記操作用シリンダ２１の後端側開口部には洗浄水供給口２１ｇ（第１洗浄水供給口）を形成し、前記局部洗浄用供給流路７が接続される。
【００１６】
また、後方シリンダ２１Ｂの左側面に洗浄水流出口２１ｈ（第１流出口）、前方シリンダ２１Ａの小径部２１ｄより後方左側面にビデ進出用流入口２１ｉ（第２洗浄水供給口）及びビデ洗浄水流出口２１ｊ（第２流出口）、前方シリンダ２１Ａの小径部２１ｄの終端左側面には洗浄水供給口２１ｋ（第３洗浄水供給口）が設けられる。なお、洗浄水供給口２１ｋ内にダイヤフラム２１ｎを設け、水圧がかかっている時のみ洗浄ノズル２３と水密状態で接するようにしている。即ち、ダイヤフラム２１ｎに圧がかかるよりも前にノズル２３の進出が完了しているので、ノズル進出時にこのダイヤフラム２１ｎ部分が抵抗となることが無く、洗浄水供給時には効果がある。
【００１７】
さらに前記操作用シリンダ２１の前端右側面には、ノズル洗浄用給水口２１ｌが形成される。そして、前記操作用シリンダ２１の前端側で前記ノズル洗浄用給水口２１ｌが形成されている内部は、ノズル洗浄室２１ｍを形成している。
【００１８】
ピストン２２は合成樹脂製で、円板上の受圧板２２Ａと、この受圧板２２Ａの受圧面（背面）側に一体に突設された円筒部２２Ｂとを備え、受圧板２２Ａの中央前面には洗浄ノズルの後端部と当接する当接凹部２２ｃが設けられる。
【００１９】
洗浄ノズル２３は、合成樹脂によって前記ばね受部２１ｅの内径よりわずかに小さい外径を有する細長い筒状に形成され、内部にお尻洗浄用通路２３ａとビデ洗浄用通路２３ｂが形成されている。お尻洗浄用通路２３ａの前方側開口部は、ノズル２３の前端側上面に開口することによりお尻噴出口２３ｃを形成している。ビデ洗浄用通路２３ｂの前方側開口部は、ノズル２３の前端側上面に開口することによりビデ噴出口２３ｄを形成している。なお、ノズル２３左側面にはピストン２２が最大ストローク前進してノズル２３をお尻洗浄位置に停止した時前記洗浄水供給口２１ｋと一致し連通する位置に形成されるお尻洗浄水連絡口２３ｅと、ノズル２３が最大ストローク前進してノズル２３をビデ洗浄位置に停止した時前記洗浄水供給口２１ｋと一致し連通する位置に形成されるビデ洗浄水連絡口２３ｆとを有する。また、前記ノズル２３の外周面には、互いに平行な２つの平坦部２３ｇが形成されており、この平坦部２３ｇと前記ばね受部２１ｅとの隙間が水抜き用の隙間を形成している。
【００２０】
前記ノズル２３の後端側外周面との後端面には、受圧板を形成するフランジ２３ｈとピン２３ｉが夫々一体に突設されている。フランジ２３ｈは、前記ノズル２３の後端面中央に一体に突設され、前記ピストン２２の当接凹部２２ｃに当接し、ピストン２２とノズル２３を離間させている。これは、ビデ洗浄時にビデ進出用流入口２１ｉから前方シリンダ２１Ａ内に流入する洗浄水をフランジ２３ｈの受圧面（背面）側に供給するためである。前記ノズル２３を復帰方向に付勢する前記復帰用ばね２４は圧縮コイルばねからなり、前記ばね受部２１ｅとフランジ２３ｈとの間に弾装されている。
【００２１】
図６は本発明の切換弁兼流量調整弁３０の外観斜視図、図７は弁体３５の分解斜視図、図８は切換弁兼流量調整弁３０のお尻洗浄時の断面図、図９はお尻洗浄時の弁体３５に設けた各溝の相対位置関係を示す断面図である。切換弁兼流量調整弁３０は、外筒体３１と弁体３５とで構成する。外筒体３１は中空の略円筒状に形成し、一端には弁体３５を挿入する挿入開口３２を設け、他端には弁体３５を回動自在に支持する軸受け部３３を設ける。また、外筒体３１の右側周面には、操作用シリンダ２１に設けた洗浄水流出口２１ｈ、ビデ進出用流入口２１ｉ、ビデ洗浄水流出口２１ｊ、洗浄水供給口２１ｋ（第３洗浄水供給口）を夫々挿入する洗浄水流入孔３１ａ、ビデ進出用流出孔３１ｂ、ビデ洗浄水流入孔３１ｃ、洗浄水流出孔３１ｄを設ける。また、左側周面には、バイパス用流出口３１ｅ及びバイパス用流入口３１ｆ、余剰水排出口３１ｇを設ける。なお、バイパス用流出口３１ｅとビデ進出用流出孔３１ｂと、バイパス用流入口３１ｆとビデ洗浄水流入孔３１ｃとは夫々弁体３５の軸線に直交する同一平面上に形成する。なおバイパス流出口３１ｅとバイパス流入口３１ｆとは樹脂チューブ等で接続する。
【００２２】
弁体３５は略円筒状で一端に操作軸３５ｉ、他端に回動軸３５ｊを形成し、隔壁３５ｈで前方室３５Ａ、後方室３５Ｂの２室に仕切り、後方室３５Ｂの側周壁には洗浄水流入孔３１ａ、ビデ進出用流出孔３１ｂに夫々対応する箇所に洗浄水流入溝３５ａ、ビデ進出用流出溝兼バイパス用流出溝３５ｂを形成する。また、前方室３５Ａの側周壁にはビデ洗浄水流入孔３１ｃ、余剰水排出口３１ｇ、洗浄水流出孔３１ｄに夫々対応する箇所にビデ洗浄水流入溝兼バイパス用流入溝３５ｃ、余剰水排出溝３５ｇ、流量調整溝３５ｄを形成する。なお、流量調整溝３５ｄは略三角形状として流路抵抗が変化するよう形成する。また、余剰水排出溝３５ｇ及び流量調整溝３５ｄはお尻用、ビデ用と全周を２分割して設ける。（図９参照）更に、一端側外周にＹパッキン装着溝３５ｋを形成し、弁体３５を開口３２から外筒体３１内に挿入する際、Ｙパッキン（図示無）を嵌め込むことにより、挿入開口３２と弁体３５とのシールを行う。
【００２３】
図１０には操作部４０の外観図を示す。操作部４０には洗浄開始スイッチ４１、洗浄停止スイッチ４２及び流路切換兼流量調整摘み４３とが設けられ、洗浄開始スイッチ４１及び洗浄停止スイッチ４２は制御装置５０に電気的に接続し、流路切換兼流量調整摘み４３はワイヤー等によって機械的に操作軸３５ｉに接続されている。なお、この流路切換兼流量調整摘み４３はお尻とビデの最大流量位置との間にストッパ（図示無）を設け、お尻最大流量から突然ビデ最大流量に変更されることを防止している。
【００２４】
次に、このような構造からなる洗浄ノズル２３による洗浄動作について説明する。既に図５に非洗浄時の状態を示したが、この状態において、ノズル２３は復帰用ばね２４によって初期位置に保持されることによりピストン２２を後方シリンダ２１Ｂ内面に押し付けている。この時、電磁弁３、４は閉じている。
【００２５】
まず、お尻洗浄について、図８（ａ）、図１１を参照して説明する。使用者が用便後に洗浄装置本体１の袖部に設けられる流路切換兼流量調整摘み４３がお尻位置にある状態（図１０の位置）で、洗浄開始スイッチ４１を操作すると、制御装置５０の指令により電磁弁３が開く、電磁弁３が開くと、洗浄水は局部洗浄用供給流路７から洗浄水供給口２１ｇを介して後方シリンダ２１Ｂ内に供給され、その水圧でピストン２２を押圧する。したがって、ピストン２２とノズル２３は復帰用ばね２４に抗して一体的に前進し、ノズル２３の前端部が操作用シリンダ２１の前端側開口部２１ｐから突出する。ピストン２２は最大ストローク前進すると、段部２１ｃに当接して停止する。ピストン２２が前進して停止すると、後方シリンダ２１Ｂ内に流入した洗浄水は洗浄水流出口２１ｈ〜洗浄水流入孔３１ａ（洗浄水流入溝３５ａ）〜バイパス用流出口３１ｅ（ビデ進出用流出溝兼バイパス用流出溝３５ｂ）〜バイパス用流入口３１ｆ（ビデ洗浄水流入溝兼バイパス用流入溝３５ｃ）〜流量調整溝３５ｄ〜洗浄水流出孔３１ｄ〜洗浄水供給口２１ｋ〜ダイヤフラム２１ｎを通ってお尻洗浄水連絡口２３ｅに供給される。この停止位置がお尻洗浄位置であり、前記お尻洗浄水連絡口２３ｅよりお尻洗浄用通路２３ａに供給される洗浄水をそのお尻噴出口２３ｃから上方に向けて噴出しお尻洗浄を所望の時間行う。お尻洗浄後、洗浄停止スイッチ４２を操作すると、制御装置５０からの指令により電磁弁３が閉じ、電磁弁４が開く。電磁弁３が閉じると、洗浄ノズル２３への洗浄水の供給が停止するため、洗浄水の水圧が低下する。従って、ノズル２３は復帰用ばね２４の弾撥力によって徐々に後退して図５に示す初期位置に復帰し、ピストン２２を後部シリンダ２１Ｂの内面に押し付ける。この時、操作用シリンダ２１内に残った洗浄水は、ノズル２３との隙間を通って操作用シリンダ２１の前端側開口部２１ｐから便器内に排出される。一方、電磁弁４が開くと、洗浄水はノズル洗浄用供給流路８を通ってノズル洗浄室２１ｍに供給されることにより、ノズル２３の外周を洗浄する。そして、ノズル洗浄を所望の時間行うと、制御装置５０からの指令により電磁弁４は閉じる。
【００２６】
次に、ビデ洗浄について、図８（ｂ）、図１２を参照して説明する。使用者が流路切換兼流量調整摘み４３をビデ位置にした状態で、洗浄開始スイッチ４１を操作すると、制御装置５０の指令により電磁弁３が開く。電磁弁３が開くと、局部洗浄用供給流路７から供給される洗浄水は洗浄水供給口２１ｇを通って後方シリンダ２１Ｂ内に流入し、その水圧でピストン２２とノズル２３を復帰用ばね２４に抗して前進させる。このため、ノズル２３は操作用シリンダ２１の前進側開口部２１ｐから突出する。ピストン２２は最大ストローク前進すると段部２１ｃに当接して停止する。ピストン２２が停止すると、ノズル２３はピストン２２によっては移動されなくなるが、後方シリンダ２１Ｂ内に供給された洗浄水が洗浄水流出口２１ｈ〜洗浄水流入孔３１ａ（洗浄水流入溝３５ａ）〜ビデ進出用流出孔３１ｂ（ビデ進出用流出溝兼バイパス用流出溝３５ｂ）〜ビデ進出用流入口を通って、前方シリンダ２１Ａ内に導かれその水圧でフランジ２３ｈを押圧するため図１２に示すようにさらに伸張してビデ洗浄位置に移動し、この位置で係止部であるばね受部２１ｅに当接することにより停止する。このノズル２３の移動により、ビデ洗浄水流出口２１ｊ〜ビデ洗浄水流入孔３１ｃ（ビデ洗浄水流入溝兼バイパス用流入溝３５ｃ）〜流量調整溝３５ｄ〜洗浄水流出孔３１ｄ〜洗浄水供給口２１ｋ〜ダイヤフラム２１ｎを通ってビデ洗浄用通路２３ｂの後方側開口部２３ｆが合致して、先端に設けた噴出口２３ｄから上方に向かって噴出されビデ洗浄を所望の時間行う。洗浄停止スイッチ４２を操作すると、制御装置５０からの指令により電磁弁３が閉じ、電磁弁４が開く。電磁弁３が閉じると、洗浄ノズル２３への洗浄水の供給が停止するため、洗浄水の水圧が低下する。従って、ノズル２３は復帰用ばね２４の弾撥力によって徐々に後退して図５に示す初期位置に復帰し、ピストン２２を後部シリンダ２１Ｂの内面に押し付ける。この時、操作用シリンダ２１内に残った洗浄水は、ノズル２３との隙間を通って操作用シリンダ２１の前端側開口部２１ｐから便器内に排出される。一方、電磁弁４が開くと、洗浄水はノズル洗浄用供給流路８を通ってノズル洗浄室２１ｍに供給されることにより、ノズル２３の外周を洗浄する。そして、ノズル洗浄を所望の時間行うと、制御装置５０からの指令により電磁弁４は閉じる。
【００２７】
次に図１３乃至図１５を用いて第２の実施例について説明する。図１３はノズル装置２０の側断面図、図１４は洗浄ノズル２３の流路切換機構を示す概略断面図、図１５は流路切換機構の動作を示す概略平面図である。なお、第１の実施例と同一の機能を果たすものは同一の符号を用いる。図において、ノズル装置は操作用シリンダ２１、洗浄ノズル２３、流路切換用板２６からなり、洗浄ノズル２３内には流路切換弁２５を設ける。洗浄ノズル２３には、後端部に洗浄水導入口２３ｋを設け、内部に連絡流路２３ｊを設ける。また、先端にお尻噴出口２３ｃ、ビデ噴出口２３ｄを設け、夫々お尻洗浄流路２３ａ、ビデ洗浄流路２３ｂに連絡する。連絡流路２３ｊとお尻洗浄流路２３ａ、ビデ洗浄流路２３ｂとの間には流路切換弁２５を配置している。なお、流路切換用板２６はラック−ピニオンにより流路切換ハンドル（図示無）に機械的に接続される。
【００２８】
次に第２実施例の動作を説明する。お尻洗浄の際には、流路切換ハンドルをお尻位置に回転すると、流路切換板は図１５（ｂ）に示す位置に移動する。この状態で洗浄スイッチを操作すると、洗浄水供給口２１ｇからシリンダ２１内に水が導入されノズル２３は進出する。ノズル２３内に設けた流路切換弁２５の下端には切換フック２５ａが設けられており、この切換フック２５ａがノズル２３の進出により切換リブ２６ａに沿って左方向に移動される。この移動により流路切換弁２５は回転し、流路２３ｊと流路２３ａとを流路切換弁２５に設けた連結溝２５ａにより連結する。従って、洗浄水は、洗浄水導入口２３ｋ〜流路２３ｊ〜連結溝２５ａ〜流路２３ａを通って、お尻噴出口２３ｃから上向きに噴出し、お尻の洗浄が行われる。ビデ洗浄の際には、流路切換ハンドルをビデ位置に回転すると、流路切換板は図１５（ｃ）に示す位置に移動する。この状態で洗浄スイッチを操作すると、洗浄水供給口２１ｇからシリンダ２１内に水が導入されノズル２３は進出する。切換フック２５ａがノズル２３の進出により切換リブ２６ｂに沿って右方向に移動される。この移動により流路切換弁２５は回転し、流路２３ｊと流路２３ｂとを流路切換弁２５に設けた連結溝２５ａにより連結する。従って、洗浄水は、洗浄水導入口２３ｋ〜流路２３ｊ〜連結溝２５ａ〜流路２３ｂを通って、ビデ噴出口２３ｄから上向きに噴出し、ビデの洗浄が行われる。本実施例では流路切換ハンドルによりお尻／ビデを切り替えたが、第１実施例のノズル駆動機構を採用し、流路切換ハンドルに代えて、ノズル進出長により流路を切り換えるようにすれば、ノズル進出長で自動的に流路を切り換えることが可能となる。この機構は、ビデ進出用流入口２１ｉに水が導入されると同時に流路切換板を水圧ピストン機構により動作させることで実現可能である。（通常は、図１５（ｂ）に示す位置で待機）
【００２９】
次に図１６及び図１７を用いて第３の実施例を説明する。図１６はノズル装置２０の側断面図、図１７は動作説明のための概略断面図である。（ａ）は待機位置、（ｂ）はお尻洗浄位置、（ｃ）はビデ位置に移動した状態の断面図である。なお、第１実施例と同一の機能には同一の符号を付ける。
【００３０】
このノズル装置２０は、操作用シリンダ２１と、この操作用シリンダ２１内に進退自在に嵌挿され、洗浄水の水圧によって作動されるピストン２２と、ピストン２２を元の位置に復帰するため復帰ばね２４１と、前記ピストン２２内を進退自在に構成し、お尻洗浄時にお尻位置に移動し、ビデ洗浄時にはビデ洗浄位置に移動する洗浄ノズル２３、洗浄ノズル２３を元の位置に復帰するための復帰ばね２４を備える。
【００３１】
前記操作用シリンダ２１は、前後端が開口した内径が異なる樹脂製の異径管からなり、前半部が小径の前方シリンダ２１Ａを構成し、後半部が大径部の後方シリンダ２１Ｂを構成している。この操作シリンダ２１の内周面前方シリンダ２１Ａと後方シリンダ２１Ｂの接続部には、前記ピストン２２の前進動を規制する段部２１ｃが設けられている。また、前方シリンダ２１Ａの前端側にばね受部２１ｅが一体に設けられている。このばね受部２１ｅは、前記復帰用ばね２４１の前端を受け止めると共に、前記ピストン２２を摺動自在に支持し案内するもので、前記ピストン２２の外径より大きいリング状に形成されている。そして、前方シリンダ２１Ａの前端部にはピストン２２を出し入れ自在なピストン突出口が設けられている。
【００３２】
前記操作用シリンダ２１の後端側開口部には洗浄水供給口２１ｇ（第１洗浄水供給口）を形成し、前記局部洗浄用供給流路７が接続される。
【００３３】
また、後方シリンダ２１Ｂの左側面に洗浄水流出口２１ｈ（第１流出口）、前方シリンダ２１Ａの小径部２１ｄより後方左側面にビデ進出用流入口２１ｉ（第２洗浄水供給口）、前方シリンダ２１Ａの小径部２１ｄの終端左側面には洗浄水供給口２１ｋ（第３洗浄水供給口）が設けられる。
【００３４】
ピストン２２は、前端がノズル突出口として開口された内径が異なる樹脂製の異径管からなり、前半部が小径の前方円筒部２２Ｃを構成し、後半部が大径部の後方円筒部２２Ｄ、終端を前記後方円筒部２２Ｄよりも大径の後方ピストン２２Ｂを構成している。なお前方円筒部２２Ｃと後方円筒部２２Ｄの接続部には、前記ノズル２３の前進動を規制する段部２２ｅが設けられている。また、前方円筒部２２Ｃにばね受部２２ｆが一体に設けられている。このばね受部２２ｆは、前記復帰用ばね２４の前端を受け止めると共に、前記ノズル２３を摺動自在に支持し案内するもので、前記ノズル２３の外径より大きいリング状に形成されている。また、後方円筒部２２Ｄ側面後方には内外を廉通するビデ用連通路２２ｂ、前方円筒部２２Ｃ側面後方には内外を連通するお尻用連通路２２ｃ、前方円筒部２２Ｃ前端部付近上方にはお尻噴出用開口２２ａが夫々設けられる。
【００３５】
洗浄ノズル２３は、合成樹脂によって前記ばね受部２２ｆの内径よりわずかに小さい外径を有する細長い筒状に形成され、内部にお尻洗浄用通路２３ａとビデ洗浄用通路２３ｂが形成されている。お尻洗浄通路２３ａとビデ洗浄通路２３ｂとは噴出口手前で合流する。お尻洗浄用通路２３ａの前方側開口部は、ノズル２３の前端側上面に開口することによりお尻噴出口２３ｃを形成している。ビデ洗浄用通路２３ｂの後方側開口部は、ノズル２３の前後端側に開口することによりビデ洗浄水連絡口２３ｆを形成している。なお、ノズル２３左側面にはピストン２２が最大ストローク前進してノズル２３をお尻洗浄位置に停止した時前記洗浄水供給口２１ｋ及びお尻用連通路２２ｃと一致し連通する位置に形成されるお尻洗浄水連絡口２３ｅを有する。
【００３６】
前記ノズル２３の後端側外周面との後端面には、受圧板を形成するフランジ２３ｈとピン２３ｉが夫々一体に突設されている。フランジ２３ｈは、前記ノズル２３の後端面中央に一体に突設され、前記ピストン２２に当接し、ピストン２２とノズル２３を離間させている。これは、ビデ洗浄時にビデ進出用流入口２１ｉから後方円筒部２２Ｃ内に流入する洗浄水をフランジ２３ｈの受圧面（背面）側に供給するためである。前記ノズル２３を復帰方向に付勢する前記復帰用ばね２４は圧縮コイルばねからなり、前記ばね受部２２ｆとフランジ２３ｈとの間に弾装されている。
【００３７】
次に第３実施例の動作を説明する。お尻洗浄時には、流路選択弁（図示無）により、洗浄水流出口２１ｈと洗浄水供給口２１ｋとが連絡される。この状態で、洗浄水供給用電磁弁（図示無）を開放し、洗浄水供給口２１ｇから洗浄水をシリンダ２１内に供給するとピストン２２を介してノズル２３は前方に進出する。ピストン２２が前進し段部２１ｃに当接すると洗浄水流出口２１ｈを開放し、洗浄水供給口２１ｋ、お尻用連絡路２２ｃを介してお尻洗浄水供給開口２３ｅと洗浄水が導入され、噴出口２３ｃ及びお尻用開口２２ａを介して上向きに洗浄水が噴出しお尻洗浄が行われる。ビデ洗浄時には、流路選択弁（図示無）により、洗浄水流出口２１ｈとビデ進出用流入口２１ｉとが連絡される。この状態で洗浄水供給用電磁弁（図示無）を開放し、洗浄水供給口２１ｇから洗浄水をシリンダ２１内に供給するとピストン２２を介してノズル２３は前方に進出する。ピストン２２が前進し段部２１ｃに当接すると洗浄水流出口２１ｈを開放し、ビデ進出用流入口２１ｉ、ビデ用連絡路２２ｂを介して後方円筒部２２Ｃ内に洗浄水が導入され、ノズル２３は復帰ばね２４に抗して前方に進出する。ノズル２３が前方に進出すると、ピストン２２により塞がれていたビデ洗浄水供給開口２３ｆが開放し、噴出口２３ｃを介して上向きに洗浄水が噴出しビデ洗浄が行われる。
【００３８】
図１８は前記ピストンとシリンダとの関係を逆にしたものである。このようにノズル側をシリンダとして形成することも可能である。なお、図中の符号は、前述した実施例と同じ機能を持つものである。
【図面の簡単な説明】
【図１】本発明の水路構成を示すブロック図
【図２】本発明のノズル装置２０の外観斜視図
【図３】操作用シリンダ２１の分解斜視図
【図４】洗浄ノズル２３の分解斜視図
【図５】洗浄ノズルの収納時断面図
【図６】本発明の切換弁兼流量調整弁３０の外観斜視図
【図７】弁体３５の分解斜視図
【図８】切換弁兼流量調整弁３０の断面図で、（ａ）はお尻洗浄時の断面図、（ｂ）はビデ洗浄時の断面図
【図９】お尻洗浄時の弁体３５に設けた各溝の相対位置関係を示す断面図
【図１０】操作部４０の外観図
【図１１】お尻洗浄の様子を示す洗浄ノズルの断面図
【図１２】ビデ洗浄の様子を示す洗浄ノズルの断面図
【図１３】本発明の第２実施例におけるノズル装置２０の側断面図
【図１４】本発明の第２実施例における洗浄ノズル２３の流路切換機構を示す概略断面図
【図１５】本発明の第２実施例における流路切換機構の動作を示す概略平面図
【図１６】本発明の第３実施例におけるノズル装置２０の側断面図
【図１７】本発明の第３実施例の動作説明のための概略断面図
【図１８】本発明の第３実施例の、ピストンとシリンダの関係を逆にした変形例を示す概略断面図
【符号の説明】
２１…シリンダ
２１Ａ…前方シリンダ
２１Ｂ…後方シリンダ
２１ｇ…洗浄水供給口（第１洗浄水供給口）
２１ｉ…ビデ進出用流入口（第２洗浄水供給口）
２１ｋ…洗浄水供給口（第３洗浄水供給口）
２１ｎ…ダイヤフラム（連結手段）
２１ｐ…ノズル突出口
２２…位置調整用ピストン（進出ピストン）
２２Ｄ…後方円筒部（位置調整用シリンダ部）
２２ｂ…導入口
２２ｃ…給水口
２３…水圧式ノズル
２３ｃ…第１洗浄水噴出口
２３ｄ…第２洗浄水噴出口
２３ｅ…第２洗浄水流入口
２３ｆ…第１洗浄水流入口
２３ｋ…洗浄水導入口
２５…流路切換弁（選択手段）
【図１】
0003716142.tif 000002
【図２】
0003716142.tif 000003
【図３】
0003716142.tif 000004
【図４】
0003716142.tif 000005
【図５】
0003716142.tif 000006
【図６】
0003716142.tif 000007
【図７】
0003716142.tif 000008
【図８】
0003716142.tif 000009
【図９】
0003716142.tif 000010
【図１０】
0003716142.tif 000011
【図１１】
0003716142.tif 000012
【図１２】
0003716142.tif 000013
【図１３】
0003716142.tif 000014
【図１４】
0003716142.tif 000015
【図１５】
0003716142.tif 000016
【図１６】
0003716142.tif 000017
【図１７】
0003716142.tif 000018
【図１８】
0003716142.tif 000019